(57)【要約】【課題】球通路面を左右に転がる遊技球の流下方向が一対の振子部材により振り分けられる状態を遊技者が視認できると共に、遊技球を、一対の振子部材同士の間に導き易くするのか、一対の振子部材同士の間に導き難くするのかを変化させることができる遊技機用の球振分け機構を提供すること。【解決手段】遊技機用の球振分け機構１は、遊技球８を左右方向Ｗへ転がすための球通路面３１を備えた球通路部材３と、球通路面３１の途中において、左右方向Ｗへ揺動可能に配設した一対の振子部材４とを有している。振子部材４は、回動軸部４１よりも上方位置に球案内部４２を、下方位置に球衝突部４３を形成してなる。球振分け機構１は、振子部材４における球衝突部４３に衝突する遊技球８によって、当該振子部材４を左右方向Ｗへ揺動させ、一対の振子部材４における球案内部４２の上方先端部４２３同士の間の間隔を変化させるよう構成してある。【選択図】図１
2007175096.tif 000002
【特許請求の範囲】
【請求項１】
遊技球を左右方向へ転がすための球通路面を備え、該球通路面には、下方へ陥没した通路陥没部を形成してなる球通路部材と、
上記球通路面の途中において、前後方向に設けた回動軸部によって左右方向へ揺動可能に配設した一対の振子部材とを有しており、
該振子部材は、上記回動軸部よりも上方位置に、上記通路陥没部内に収容した後方部分と該後方部分から前方へ連続形成して上記球通路部材の前方へ突出させた前方部分とを備えた球案内部を形成してなると共に、上記回動軸部よりも下方位置に、上記球通路部材の前方へ突出させた球衝突部を形成してなり、
上記振子部材における上記球衝突部に衝突する遊技球によって、当該振子部材を左右方向へ揺動させ、上記一対の振子部材における上記球案内部の上方先端部同士の間の間隔を変化させるよう構成してあることを特徴とする遊技機用の球振分け機構。
【請求項２】
請求項１において、上記球通路面の後方には、該球通路面と平行に、遊技球を左右方向へ転がすための後方球通路面が形成してあり、
該後方球通路面は、上記球通路面における上記通路陥没部の後方に、曲面状に隆起する曲面隆起部を形成してなり、該曲面隆起部には、前方に向けて下降傾斜する前方傾斜面が形成してあることを特徴とする遊技機用の球振分け機構。
【発明の詳細な説明】
【技術分野】
【０００１】
本発明は、球通路部材に配設した一対の振子部材によって、遊技球の流下状態を制御するよう構成した遊技機用の球振分け機構に関する。
【背景技術】
【０００２】
パチンコ遊技機等の遊技機においては、遊技者に、退屈感を与えず、遊技球が入賞するかもしれないという期待感を与えるための種々の工夫が行われている。
例えば、特許文献１においては、遊技領域に表示部等を備えた特別遊技領域を設けており、この特別遊技領域の入口部に入った遊技球が、複数の排出部のうちどの排出部から排出されるかをランダムに振り分ける構造の遊技機が開示されている。
【０００３】
この遊技機においては、特別遊技領域に遊技者が遊技球の挙動を視認することのできる揺動部を設けており、この揺動部において遊技球を左右へ転がらせることにより、遊技者に、遊技球が揺動部の所定部位に設けた開口部へ入るかもしれないという期待感を与えている。そして、開口部と、複数の排出部との間を、１つの大きな通路として形成した振分け部によって連通することによって、開口部へ入った遊技球が、振分け部において転がる方向を任意に変更している。これにより、遊技者は、遊技球がどの排出部から排出されるかわからず、入賞確率の高い排出部から排出されるかもしれないという期待感を抱くことができる。
【０００４】
しかしながら、上記特許文献１においては、遊技球が振分け部内を通過する際に、ランダムにいずれの排出部へ排出されるかが決定される。そのため、振分け部内を転がる遊技球の状態を遊技者が視認することができず、遊技者の期待感を効果的に高め、遊技の趣向性を向上させるためには十分ではない。
【０００５】
なお、例えば、特許文献２に示されるように、「くらげ」とよばれる誘導片付ゲートにおいては、揺れ動きながら遊技球を誘導する一対の誘導片を用いている。しかし、この一対の誘導片は、上端部に形成した支軸を中心に揺れ動くものであって、一対の誘導片の間に遊技球を誘導する確率を変化させるために用いておらず、遊技の趣向性を向上させるためには十分ではない。
【０００６】
【特許文献１】特開２００３−３１０９０９号公報
【特許文献２】特開２００４−２２３０２０号公報
【発明の開示】
【発明が解決しようとする課題】
【０００７】
本発明は、かかる従来の問題点に鑑みてなされたもので、球通路面を左右に転がる遊技球の流下方向が一対の振子部材により振り分けられる状態を遊技者が視認することができると共に、遊技球を、一対の振子部材同士の間に導き易くするのか、一対の振子部材同士の間に導き難くするのかを変化させることができ、遊技者による遊技の趣向性を向上させることができる遊技機用の球振分け機構を提供しようとするものである。
【課題を解決するための手段】
【０００８】
本発明は、遊技球を左右方向へ転がすための球通路面を備え、該球通路面には、下方へ陥没した通路陥没部を形成してなる球通路部材と、
上記球通路面の途中において、前後方向に設けた回動軸部によって左右方向へ揺動可能に配設した一対の振子部材とを有しており、
該振子部材は、上記回動軸部よりも上方位置に、上記通路陥没部内に収容した後方部分と該後方部分から前方へ連続形成して上記球通路部材の前方へ突出させた前方部分とを備えた球案内部を形成してなると共に、上記回動軸部よりも下方位置に、上記球通路部材の前方へ突出させた球衝突部を形成してなり、
上記振子部材における上記球衝突部に衝突する遊技球によって、当該振子部材を左右方向へ揺動させ、上記一対の振子部材における上記球案内部の上方先端部同士の間の間隔を変化させるよう構成してあることを特徴とする遊技機用の球振分け機構にある（請求項１）。
【０００９】
本発明の球振分け機構は、上記球通路部材と一対の振子部材とを有しており、この一対の振子部材の揺動状態によって、球通路面を左右方向へ転がる遊技球の流下方向が一対の振子部材により振り分けられる状態を遊技者が視認することができると共に、遊技球を、一対の振子部材同士の間に導き易くするのか、一対の振子部材同士の間に導き難くするのかを変化させることができるものである。
すなわち、上記振子部材は、遊技機の前後方向に設けた回動軸部よりも上方位置に球案内部を形成すると共に、下方位置に球衝突部を形成してなる。そして、球案内部の後方部分は、球通路面の通路陥没部内に収容してあり、球案内部の前方部分は、球通路部材の前方へ突出させてある。また、球衝突部は、球通路部材の前方へ突出させてある。
【００１０】
上記球振分け機構を備えた遊技機において、遊技を行う際に、振子部材に遊技球が衝突しておらず、又は振子部材に遊技球が衝突してから相当時間経過したときには、振子部材は、自重によって起立した状態にある。
そして、いずれかの振子部材の左右方向の外側から、この振子部材の球衝突部に遊技球が衝突したときには、この振子部材は、回動軸部を中心に左右方向へ揺れ動く。このとき、振子部材の球衝突部が左右方向の内側に向けて動いたときには、この振子部材の球案内部は左右方向の外側に向けて動き、球案内部の上方先端部同士の間の間隔が広くなる。
【００１１】
そのため、球案内部が外側に向けて動いたときには、球通路面を転がる遊技球が球案内部の上方先端部同士の間に入り易くなる。これにより、一対の振子部材の下方に役物が配設してあるときには、球案内部の上方先端部同士の間に入った遊技球を、上記役物へ入賞し易くすることができる。
【００１２】
一方、上記遊技球の衝突の後、振子部材の球衝突部が外側に向けて動いたときには、この振子部材の球案内部は内側に向けて動き、球案内部の上方先端部同士の間の間隔が狭くなる。そのため、球案内部が内側に向けて動いたときには、球通路面を転がる遊技球が球案内部の上方先端部同士の間に入り難くなる。これにより、一対の振子部材の下方に役物が配設してあるときには、球案内部の上方先端部同士の間に入らなかった遊技球は、上記役物へ入賞し難くすることができる。
【００１３】
このように、本発明の球振分け機構は、振子部材への遊技球の衝突を利用して、一対の振子部材同士の間へ遊技球を導き易くする状態と、一対の振子部材同士の間へ遊技球を導き難くする状態とに変化させることができる。そして、球案内部が左右方向の外側に向けて動いたときには、入賞確率が高く、遊技者に入賞するかもしれないという期待感を抱かせることができる。
【００１４】
それ故、本発明の球振分け機構によれば、球通路面を左右に転がる遊技球の流下方向が一対の振子部材により振り分けられる状態を遊技者が視認することができると共に、遊技球を、一対の振子部材同士の間に導き易くするのか、一対の振子部材同士の間に導き難くするのかを変化させることができ、遊技者による遊技の趣向性を向上させることができる。
【発明を実施するための最良の形態】
【００１５】
上述した本発明における好ましい実施の形態につき説明する。
本発明において、上記球通路面の後方には、該球通路面と平行に、遊技球を左右方向へ転がすための後方球通路面が形成してあり、該後方球通路面は、上記球通路面における上記通路陥没部の後方に、曲面状に隆起する曲面隆起部を形成してなり、該曲面隆起部には、前方に向けて下降傾斜する前方傾斜面が形成してあることが好ましい（請求項２）。
この場合には、後方球通路面において左右方向へ転がる遊技球の勢いが、曲面隆起部において弱まったときには、この遊技球を前方傾斜面により球通路面の通路陥没部へ導き、一対の振子部材同士の間に導き易くすることができる。
【実施例】
【００１６】
以下に、本発明の遊技機用の球振分け機構にかかる実施例につき図面と共に説明する。
本例の遊技機用の球振分け機構１は、図１、図２に示すごとく、遊技球８を左右方向Ｗへ転がすための球通路面３１を備えた球通路部材３と、球通路面３１の途中において、前後方向Ｄに設けた回動軸部４１によって左右方向Ｗへ揺動可能に配設した一対の振子部材４とを有している。また、球通路面３１には、下方へ陥没した通路陥没部３１１が形成してある。
【００１７】
図１に示すごとく、上記振子部材４は、回動軸部４１よりも上方位置に形成した球案内部４２と、回動軸部４１よりも下方位置に形成した球衝突部４３とを有している。球案内部４２は、通路陥没部３１１内に収容した後方部分４２１と、この後方部分４２１から前方Ｄ１へ連続形成して、球通路部材３の前方Ｄ１へ突出させた前方部分４２２とからなる。また、球衝突部４３は、球案内部４２の前方部分４２２の下部から下方へ連続形成して、球通路部材３の前方Ｄ１へ突出している。
そして、上記球振分け機構１は、振子部材４における球衝突部４３に衝突する遊技球８によって、当該振子部材４を左右方向Ｗへ揺動させ、一対の振子部材４における球案内部４２の上方先端部４２３同士の間の間隔を変化させるよう構成してある。
【００１８】
以下に、本例の遊技機用の球振分け機構１につき、図１〜図４と共に詳説する。
図２に示すごとく、本例の球振分け機構１は、パチンコ遊技機の遊技盤において、液晶ディスプレイ等の表示部２１を囲む枠部分を構成する飾り部材２に形成している。本例の球通路部材３は、飾り部材２の下辺部として形成してあり、上記球通路面３１は、飾り部材２の下辺部の上面として形成してある。
【００１９】
また、飾り部材２の両側部には、上記球通路面３１へ遊技球８を導くための入口通路２２が形成してあり、この入口通路２２の入口部２２１は、飾り部材２の側部に開口している。入口通路２２は、その途中に分岐路（図示略）を有しており、図１に示すごとく、入口通路２２に入った遊技球８はランダムに振り分けられた後、複数の出口部２２２から球通路面３１へ導かれる。
【００２０】
図２に示すごとく、本例の一対の振子部材４は、振子部材４同士の間に、遊技球８を１球ずつ流下させる間隔で配設してある。より具体的には、回動軸部４１の配設部分同士の間の間隔が、遊技球８が１球分（遊技球８の直径）以上であって２球分（遊技球８の直径の２倍）未満の間隔に形成してある。
また、振子部材４は、球案内部４２よりも球衝突部４３が重くなっており、球衝突部４３の自重によって、重力方向に起立した状態が維持されるようになっている。
【００２１】
図１に示すごとく、本例の球通路部材３（飾り部材２の下辺部）は、球通路面３１の後方Ｄ２に、この球通路面３１と平行に、遊技球８を左右方向Ｗへ転がすための後方球通路面３２を形成してなる。この後方球通路面３２においては、球通路面３１における通路陥没部３１１の後方Ｄ２に、曲面状に上方へ隆起する曲面隆起部３２１が形成してあり、この曲面隆起部３２１の左右には、曲面状に下方へ凹んだ曲面窪み部３２２が形成してある。また、曲面隆起部３２１には、前方Ｄ１に向けて下降傾斜する前方傾斜面３２３が形成してある。
【００２２】
また、図２に示すごとく、本例の球振分け機構１の下方には、役物２５が配設してある。本例の役物２５は、一対の回動片２５１の間に遊技球８を入賞させるよう構成した電動役物であり、上記表示部２１に表示される図柄を変動させるための始動入賞装置としての役割を有している。この役物２５における一対の回動片２５１同士の間の入賞口２５２は、球振分け機構１における一対の振子部材４同士の間の下方に位置している。
そして、一対の振子部材４同士の間に入った遊技球８は、高い確率で役物２５の入賞口２５２に導かれるようになっている。
【００２３】
本例の球振分け機構１は、球通路部材３と一対の振子部材４とを有しており、一対の振子部材４の揺動状態によって、球通路面３１を左右方向Ｗへ転がる遊技球８を、一対の振子部材４同士の間に導き易くするのか、一対の振子部材４同士の間に導き難くするのかを変化させることができるものである。
球振分け機構１を備えたパチンコ遊技機において、パチンコ遊技を行う際に、振子部材４に遊技球８が衝突しておらず、又は振子部材４に遊技球８が衝突してから相当時間経過したときには、振子部材４は、図１に示すごとく、その球衝突部４３の自重によって起立した状態にある。
【００２４】
そして、パチンコ遊技を行う際に、いずれかの振子部材４の左右方向Ｗの外側から、この振子部材４の球衝突部４３に遊技球８が衝突したときには、この振子部材４は、回動軸部４１を中心に左右方向Ｗへ揺れ動く。そして、図３に示すごとく、振子部材４の球衝突部４３が左右方向Ｗの内側に向けて動いたときには、この振子部材４の球案内部４２は左右方向Ｗの外側に向けて動き、球案内部４２の上方先端部４２３同士の間の間隔が広くなる。
そのため、球案内部４２が左右方向Ｗの外側に向けて動いたときには、球通路面３１を転がる遊技球８が球案内部４２の上方先端部４２３同士の間に入り易くなる。これにより、球案内部４２の上方先端部４２３同士の間に入った遊技球８を、役物２５へ入賞し易くすることができる。
【００２５】
一方、上記遊技球８の衝突の後、図４に示すごとく、振子部材４の球衝突部４３が左右方向Ｗの外側に向けて動いたときには、この振子部材４の球案内部４２は左右方向Ｗの内側に向けて動き、球案内部４２の上方先端部４２３同士の間の間隔が狭くなる。そのため、球案内部４２が左右方向Ｗの内側に向けて動いたときには、球通路面３１を転がる遊技球８が球案内部４２の上方先端部４２３同士の間に入り難くなる。これにより、球案内部４２の上方先端部４２３同士の間に入らなかった遊技球８は、役物２５へ入賞し難くすることができる。
【００２６】
また、図５に示すごとく、球衝突部４３に左右方向Ｗの外側から衝突した遊技球８は一対の振子部材４により運動エネルギーが吸収され、一対の振子部材４の下方にある役物２５に入賞し易くすることができる。さらに、運動エネルギーの大きい遊技球８は２つの振子部材４により、比較的運動エネルギーの小さい遊技球８は最初に衝突する振子部材４により、それぞれ効果的に失速し、役物２５へ入賞し易くすることができる。
【００２７】
また、図６に示すごとく、球衝突部４３に左右方向Ｗの外側から遊技球８Ａが衝突した際に、球案内部４２の左右方向Ｗの外側に遊技球８Ｂがあるときには、この遊技球８Ｂが障害となり、球衝突部４３が左右方向Ｗの内側に向けて動くことができず、遊技球８Ａが役物２５へ入賞し難くすることができる。
【００２８】
このように、本例の球振分け機構１は、振子部材４への遊技球８の衝突を利用して、一対の振子部材４同士の間へ遊技球８を導き易くする状態と、一対の振子部材４同士の間へ遊技球８を導き難くする状態とに変化させることができる。そして、球案内部４２が左右方向Ｗの外側に向けて動いたときには、入賞確率が高く、遊技者に入賞するかもしれないという期待感を抱かせることができる。
【００２９】
また、後方球通路面３２において左右方向Ｗへ転がる遊技球８の勢いが、曲面隆起部３２１において弱まったときには、この遊技球８を曲面隆起部３２１の前方傾斜面３２３により球通路面３１の通路陥没部３１１へ導くことができる。そのため、この通路陥没部３１１へ導かれた遊技球８は、一対の振子部材４同士の間に導き易くすることができる。
【００３０】
なお、本実施例においては、入口通路２２の入口部２２１を左右１個ずつ形成して、その途中の分岐部によって遊技球８の流下方向を振り分け、ランダムにいずれかの出口部２２２から球通路面３１へ遊技球８を導いた。これに対し、飾り部材２の左右の側部に入口通路２２を２ヶ所ずつ設けると共に、各入口部２２１に対応してそれぞれ出口部２２２を形成し、各入口通路２２から別々に遊技球８を球通路面３１へ導くようにしてもよい。この場合には、球通路面３１と後方球通路面３２のいずれに遊技球８が行き易くするかを各入口部２２１近傍の釘を調節するだけで変更することができ、個々の遊技機１にある個体差（入賞するかしないかの振り分け率の片寄り等）を適切に解消することができる。
【００３１】
それ故、本例の球振分け機構１によれば、球通路面３１を左右に転がる遊技球８の流下方向が一対の振子部材４により振り分けられる状態を遊技者が視認することができると共に、遊技球を、一対の振子部材４同士の間に導き易くするのか、一対の振子部材４同士の間に導き難くするのかを変化させることができ、遊技者による遊技の趣向性を向上させることができる。
【図面の簡単な説明】
【００３２】
【図１】実施例における、遊技機用の球振分け機構を示す斜視図。
【図２】実施例における、球振分け機構を形成した飾り部材及び役物を示す正面図。
【図３】実施例における、振子部材の球衝突部が左右方向の内側に向けて動いた状態の球振分け機構の動作を示す正面図。
【図４】実施例における、振子部材の球衝突部が左右方向の外側に向けて動いた状態の球振分け機構の動作を示す正面図。
【図５】実施例における、振子部材が揺動した他の状態の球振分け機構の動作を示す正面図。
【図６】実施例における、振子部材が揺動した他の状態の球振分け機構の動作を示す正面図。
【符号の説明】
【００３３】
１  球振分け機構
２  飾り部材
３  球通路部材
３１  球通路面
３１１  通路陥没部
３２  後方球通路面
４  振子部材
４１  回動軸部
４２  球案内部
４２１  後方部分
４２２  前方部分
４２３  上方先端部
４３  球衝突部
８  遊技球
Ｗ  左右方向
Ｄ  前後方向
【図１】
2007175096.tif 000003
【図２】
2007175096.tif 000004
【図３】
2007175096.tif 000005
【図４】
2007175096.tif 000006
【図５】
2007175096.tif 000007
【図６】
2007175096.tif 000008